(57)【要約】【課題】周囲の環境に応じた音量を出力することができる音量制御方法、音量制御プログラム、及び音量制御装置を提供する。【解決手段】第１出力部４０１は、音を出力する。第２出力部４０２は、音を出力する向きを可変自在にして音を出力する。音量検出部４０３は、周囲の音量を検出する。第１検出部４０４は、第１領域の人の位置に関する第１位置情報を検出する。第２検出部４０５は、第１領域とは異なる第２領域の人の位置に関する第２位置情報を検出する。第１制御部４０６は、周囲の音量と、第１位置情報とに基づいて、第１出力部４０１から出力させる音量を制御する。第２制御部４０７は、周囲の音量と、第２位置情報とに基づいて、第２出力部４０２から出力させる音量と向きとを制御する。【選択図】図４
2020025156.tif 000002
【特許請求の範囲】
【請求項１】
音を出力する第１出力部と、音を出力する向きを可変自在にして音を出力する第２出力部と、を備える音量制御装置における音量制御方法であって、
前記音量制御装置が、
周囲の音量を検出する音量検出工程と、
第１領域の人の位置に関する第１位置情報を検出する第１検出工程と、
前記第１領域とは異なる第２領域の人の位置に関する第２位置情報を検出する第２検出工程と、
前記周囲の音量と、前記第１位置情報とに基づいて、前記第１出力部から出力させる音量を制御する第１制御工程と、
前記周囲の音量と、前記第２位置情報とに基づいて、前記第２出力部から出力させる音量と前記向きとを制御する第２制御工程と、
を実行することを特徴とする音量制御方法。
【請求項２】
前記第２位置情報は、前記第２領域の人の視線を示す情報と、前記第２領域の人までの距離の情報を含み、
前記第２制御工程では、
前記周囲の音量と、前記第２領域の人までの距離の情報とに基づいて、前記第２出力部から出力させる音量を制御し、
前記第２領域の人の視線を示す情報に基づいて、前記向きを制御する、
ことを特徴とする請求項１に記載の音量制御方法。
【請求項３】
前記第１制御工程では、周囲の位置ごとの音量の規定値を予め記憶する記憶部を参照し、前記周囲の音量および前記第１位置情報から得られる算出値と、前記規定値とに基づいて、前記第１出力部から出力させる音量を制御する、
ことを特徴とする請求項１または２に記載の音量制御方法。
【請求項４】
前記第２制御工程では、前記記憶部を参照し、前記周囲の音量および前記第２位置情報をから得られる算出値と、前記規定値とに基づいて、前記第２出力部から出力させる音量を制御する、
ことを特徴とする請求項３に記載の音量制御方法。
【請求項５】
前記第１領域は、前記音量制御装置から所定距離内の領域であり、
前記第２領域は、前記音量制御装置から前記所定距離を超える領域である、
ことを特徴とする請求項１〜４のいずれか一つに記載の音量制御方法。
【請求項６】
音を出力する第１出力部と、音を出力する向きを可変自在にして音を出力する第２出力部と、を備える音量制御装置における音量制御プログラムであって、
前記音量制御装置に、
周囲の音量を検出する音量検出工程と、
第１領域の人の位置に関する第１位置情報を検出する第１検出工程と、
前記第１領域とは異なる第２領域の人の位置に関する第２位置情報を検出する第２検出工程と、
前記周囲の音量と、前記第１位置情報とに基づいて、前記第１出力部から出力させる音量を制御する第１制御工程と、
前記周囲の音量と、前記第２位置情報とに基づいて、前記第２出力部から出力させる音量と前記向きとを制御する第２制御工程と、
を実行させることを特徴とする音量制御プログラム。
【請求項７】
音を出力する第１出力部と、
音を出力する向きを可変自在にして音を出力する第２出力部と、
周囲の音量を検出する音量検出部と、
第１領域の人の位置に関する第１位置情報を検出する第１検出部と、
前記第１領域とは異なる第２領域の人の位置に関する第２位置情報を検出する第２検出部と、
前記周囲の音量と、前記第１位置情報とに基づいて、前記第１出力部から出力させる音量を制御する第１制御部と、
前記周囲の音量と、前記第２位置情報とに基づいて、前記第２出力部から出力させる音量と前記向きとを制御する第２制御部と、
を備えることを特徴とする音量制御装置。
【発明の詳細な説明】
【技術分野】
【０００１】
本発明は、音量制御方法、音量制御プログラム、及び音量制御装置に関する。
【背景技術】
【０００２】
近年、店頭や公共施設などの場所で、ディスプレイなどの表示機器を用いて、映像や音を出力することにより、各種の情報を発信する表示装置（例えば、デジタルサイネージ）が普及している。例えば、周囲の環境を検出し、視聴者の状態によって音量を設定することにより、周囲の環境に応じて適切な音量を設定する表示装置が知られている。
【０００３】
関連する技術として、視聴者が移動した場合でも、表示装置の正面にいる音量と同じ音量に設定する受信器制御システムが開示されている（例えば、特許文献１参照）。また、人との距離や人の動きを検出し、人が正面から見た後に、側面を見て、また正面に戻ってきたといった特定の動きに合わせて音量を調整するサイネージ装置が開示されている（例えば、特許文献２参照）。
【先行技術文献】
【特許文献】
【０００４】
【特許文献１】特開２００８−２４４９１７号公報
【特許文献２】特開２０１４−１８２３３２号公報
【発明の概要】
【発明が解決しようとする課題】
【０００５】
しかしながら、従来技術では、例えば、音量を大きくすると、周辺の店舗などに迷惑がかかるだけでなく、近くにいる人にとってはうるさく感じ、一方で、音量を小さくすると、遠くにいる人にとっては聞き取りにくいことがあり、最適な音を出力することができないという問題があった。
【０００６】
上述の課題を鑑み、本発明は、周囲の環境に応じた音量を出力することができる音量制御方法、音量制御プログラム、及び音量制御装置を提供することを目的とする。
【課題を解決するための手段】
【０００７】
上述の課題を解決するために、本発明の一態様にかかる音量制御方法は、音を出力する第１出力部と、音を出力する向きを可変自在にして音を出力する第２出力部と、を備える音量制御装置における音量制御方法であって、前記音量制御装置が、周囲の音量を検出する音量検出工程と、第１領域の人の位置に関する第１位置情報を検出する第１検出工程と、前記第１領域とは異なる第２領域の人の位置に関する第２位置情報を検出する第２検出工程と、前記周囲の音量と、前記第１位置情報とに基づいて、前記第１出力部から出力させる音量を制御する第１制御工程と、前記周囲の音量と、前記第２位置情報とに基づいて、前記第２出力部から出力させる音量と前記向きとを制御する第２制御工程と、を実行する。
【０００８】
本発明の一態様にかかる音量制御プログラムは、音を出力する第１出力部と、音を出力する向きを可変自在にして音を出力する第２出力部と、を備える音量制御装置における音量制御プログラムであって、前記音量制御装置に、周囲の音量を検出する音量検出工程と、第１領域の人の位置に関する第１位置情報を検出する第１検出工程と、前記第１領域とは異なる第２領域の人の位置に関する第２位置情報を検出する第２検出工程と、前記周囲の音量と、前記第１位置情報とに基づいて、前記第１出力部から出力させる音量を制御する第１制御工程と、前記周囲の音量と、前記第２位置情報とに基づいて、前記第２出力部から出力させる音量と前記向きとを制御する第２制御工程と、を実行させる。
【０００９】
本発明の一態様にかかる音量制御装置は、音を出力する第１出力部と、音を出力する向きを可変自在にして音を出力する第２出力部と、周囲の音量を検出する音量検出部と、第１領域の人の位置に関する第１位置情報を検出する第１検出部と、前記第１領域とは異なる第２領域の人の位置に関する第２位置情報を検出する第２検出部と、前記周囲の音量と、前記第１位置情報とに基づいて、前記第１出力部から出力させる音量を制御する第１制御部と、前記周囲の音量と、前記第２位置情報とに基づいて、前記第２出力部から出力させる音量と前記向きとを制御する第２制御部と、を備える。
【発明の効果】
【００１０】
本発明によれば、人が存在する領域ごとに周囲の環境に応じた音量を出力することができる。
【図面の簡単な説明】
【００１１】
【図１】実施形態にかかる表示装置１００の前面部の外観を示す説明図である。
【図２】実施形態にかかる表示装置１００の内部構成を示す説明図である。
【図３】表示装置１００が行う音量制御処理の一例を示すフローチャートである。
【図４】実施形態にかかる表示装置１００の機能的構成の一例を示すブロック図である。
【発明を実施するための形態】
【００１２】
以下、本発明の一実施形態による表示装置について、図面を参照して説明する。なお、以下では、本発明にかかる音量制御装置を表示装置に適用した場合の一例について説明する。以下に説明する表示装置には、本発明にかかる音量制御プログラムがインストールされている。
【００１３】
（実施形態）
図１は、実施形態にかかる表示装置１００の前面部の外観を示す説明図である。図２は、実施形態にかかる表示装置１００の内部構成を示す説明図である。表示装置１００は、例えば、屋外、店頭、公共施設、交通機関などの各場所に設置され、画像や音を出力することにより、各種情報を発信するデジタルサイネージである。図１に示すように、表示装置１００は、例えば、建築構造部１２０に設けられる。建築構造部１２０は、例えば、建造物の柱や壁などの建物の一部である。なお、表示装置１００は、建築構造部１２０に設けられることに限らず、表示装置１００単体で用いることが可能な自立型のものであってもよい。
【００１４】
図１に示すように、表示装置１００は、表示部１０１と、測距センサ１０２と、マイク１０３と、右スピーカ１０４Ｒと、左スピーカ１０４Ｌと、カメラ１０５、指向性スピーカ１０６とを備える。さらに、これらに加えて、表示装置１００は、図２に示すように、モータ１０７と、オーディオ回路１０８と、制御部１０９と、音場マップ１１０とを備える。
【００１５】
表示部１０１は、建築構造部１２０の情報に設けられる。表示部１０１は、例えば、液晶ディスプレイ、プラズマディスプレイ、有機ＥＬ（Ｅｌｅｃｔｒｏ  Ｌｕｍｉｎｅｓｃｅｎｃｅ）ディスプレイなどが用いられる。測距センサ１０２は、表示装置１００の周辺の近距離の領域に存在する人や、当該人の位置を検出する。測距センサ１０２には、例えば、赤外線方式や超音波方式などのセンサが用いられる。マイク１０３は、表示装置１００の周囲の音（周囲音）を検出する。
【００１６】
右スピーカ１０４Ｒおよび左スピーカ１０４Ｌは、近距離の領域に存在する人を対象に音を出力する。カメラ１０５は、遠距離の領域に存在する人の視線（表示部１０１を注目している人）を検出ことが可能な撮像装置である。また、カメラ１０５は、遠距離の領域に存在する人までの距離を検出することが可能である。
【００１７】
指向性スピーカ１０６は、音を一定方向に出力することが可能である。また、指向性スピーカ１０６は、モータ１０７の駆動により、上下方向、左右方向、斜め方向に向きを自在に変えることが可能である。このため、指向性スピーカ１０６は、特定の方向（例えば、遠距離の領域に存在し、表示部１０１を眺める人の方向）に向けて音を出力することが可能である。
【００１８】
オーディオ回路１０８は、右スピーカ１０４Ｒと、左スピーカ１０４Ｌと、指向性スピーカ１０６と、制御部１０９と接続される。オーディオ回路１０８は、制御部１０９の制御に基づいて、右スピーカ１０４Ｒと、左スピーカ１０４Ｌと、指向性スピーカ１０６とから音を出力させる。
【００１９】
制御部１０９は、表示装置１００の制御を司る。制御部１０９は、ＣＰＵ（Ｃｅｎｔｒａｌ  Ｐｒｏｃｅｓｓｉｎｇ  Ｕｎｉｔ）よって実現される。なお、本実施形態にかかる表示装置１００は、制御部１０９の指示に基づいて動作するが、これに限らず、本発明にかかる音量制御プログラムがインストールされている他のコンピュータ装置の指示に基づいて動作してもよい。
【００２０】
音場マップ１１０は、表示装置１００の周囲の領域内の位置ごとの、音量の規定値（最大値）を定めた音量情報を含む。具体的には、音場マップ１１０は、例えば、表示装置１００の周囲の位置（または表示装置１００からの距離）ごとの、予め定めた条件下における音量の規定値（最大値）を示す音量情報を含む。音場マップ１１０は、表示装置１００が配置される環境に応じて設定される値が異なる。例えば、音場マップ１１０は、周囲音が大きい屋外では、周囲音が小さい屋内に比べて、マップが示す領域が広く、また、各領域の規定値も高く設定される。また、音場マップ１１０は、時間帯や曜日や時期などに応じて異なるものが用意されていてもよい。この場合、表示装置１００は、時間帯や曜日や時期などに応じた音場マップ１１０を用いればよい。音場マップ１１０は、ＲＡＭ（Ｒａｎｄｏｍ  Ａｃｃｅｓｓ  Ｍｅｍｏｒｙ）等の所定の記憶領域に記憶される。なお、音場マップ１１０は、外部の装置に記憶されていてもよい。
【００２１】
次に、表示装置１００の動作について説明する。表示部１０１は、制御部１０９の制御にしたがって所定の画像を表示する。所定の画像は、静止画像や動画像（動画）である。所定の画像が示す内容は、例えば、広告、宣伝、告知、ニュースなどを示す内容である。表示部１０１は、例えば、ポスターなどの静止画像を表示する場合、所定時間おきに画像を切替えて表示する。また、表示部１０１は、例えば、コマーシャルなどの動画像を表示する場合、一定期間、一の動画像を繰り返し表示してもよいし、一の動画像の表示を終えると他の動画像を表示してもよい。
【００２２】
表示部１０１に所定の画像（例えば動画像）が表示される際には、各スピーカ１０４Ｒ，１０４Ｌ，１０６からは音が出力される。これについて、具体的に説明する。測距センサ１０２は、近距離の領域に存在する人（当該人の位置を示す情報を含む）が検出されたか否かの検出結果を制御部１０９へ出力する。また、マイク１０３は、周囲音の検出結果を制御部１０９へ出力する。
【００２３】
測距センサ１０２によって近距離の領域に存在する人が検出された旨を示す検出結果が得られた場合、制御部１０９は、オーディオ回路１０８を制御して、マイク１０３によって検出された周囲音と人の位置とに応じた音量の音を右スピーカ１０４Ｒおよび左スピーカ１０４Ｌから出力させる。これにより、表示装置１００は、近距離の領域に人が存在する場合に、当該人の位置と周囲音とに応じた音を、右スピーカ１０４Ｒおよび左スピーカ１０４Ｌから出力することができる。
【００２４】
また、カメラ１０５は、遠距離の領域に存在する人の視線（当該人までの距離を含む）が検出されたか否かの検出結果を制御部１０９へ出力する。カメラ１０５によって遠距離の領域に存在する人の視線が検出された旨を示す検出結果が得られた場合、制御部１０９は、オーディオ回路１０８を制御して、マイク１０３によって検出された周囲音と当該人までの距離とに応じた音量の音を指向性スピーカ１０６から出力させる。
【００２５】
また、指向性スピーカ１０６がカメラ１０５によって検出された視線が示す方向を向くように、制御部１０９は、モータ１０７の駆動を制御する。これにより、表示装置１００は、遠距離の領域に存在する人が表示部１０１を眺めている場合に、当該人までの距離と周囲音とに応じた音量の音を指向性スピーカ１０６から出力することができる。また、表示装置１００は、指向性スピーカ１０６を、遠距離の領域に存在する人の方向に応じた向きに制御し、音を出力することができる。
【００２６】
（表示装置１００が行う音量制御処理の一例）
次に、図３を用いて、表示装置１００（制御部１０９）が行う音量制御処理の一例について説明する。なお、以下では、表示装置１００が、例えば、動画を再生する場合の音量の制御について説明する。図３は、表示装置１００が行う音量制御処理の一例を示すフローチャートである。
【００２７】
図３において、表示装置１００（制御部１０９）は、まず、近距離の領域における処理を行う。具体的には、表示装置１００は、測距センサ１０２により人が検出されたか否かを判定する（ステップＳ３０１）。表示装置１００は、測距センサ１０２により人が検出されない場合（ステップＳ３０１：ＮＯ）、ステップＳ３０６へ移行する。表示装置１００は、測距センサ１０２により人が検出された場合（ステップＳ３０１：ＹＥＳ）、測距センサ１０２によって検出された検出結果から、人の位置を示す情報を取得する（ステップＳ３０２）。
【００２８】
そして、表示装置１００は、マイク１０３により検出された周囲音を取得する（ステップＳ３０３）。なお、マイク１０３は、周囲音を常時検出してもよい。この場合、表示装置１００が周囲音を取得するタイミングは、ステップＳ３０３のタイミングのみならず、常時としてもよい。次に、表示装置１００は、音場マップ１１０を参照し、音量を設定する（ステップＳ３０４）。
【００２９】
ここで、ステップＳ３０４において表示装置１００（制御部１０９）が行う音量の設定について説明する。まず、表示装置１００は、測距センサ１０２によって検出された人の位置を示す情報を用いて音量の減衰値を取得する。減衰値は、例えば、スピーカ１０４Ｒ，１０４Ｌからの距離に応じた値であり、例えば、スピーカ１０４Ｒ，１０４Ｌから離れるほど大きくなる。表示装置１００は、例えば、距離と減衰値とを対応させたテーブルを予め記憶しておき、当該テーブルを用いることにより、測距センサ１０２によって検出された人の位置（または表示装置１００と当該人までの距離）に応じた減衰値を取得するようにしてもよい。
【００３０】
また、表示装置１００（制御部１０９）は、マイク１０３により検出された周囲音に基づく基準音と、取得した減衰値とを加算した値を設定値として算出する。なお、基準音は、例えば、マイク１０３により検出された周囲音を加算することによって設定される、周囲音を超過する音量である。そして、表示装置１００は、音場マップ１１０を参照し、測距センサ１０２によって検出された位置（または距離）における最大値と、算出した設定値とを比較する。
【００３１】
設定値が最大値以上となる場合、仮に、設定値を設定したとすると、最大値を超える音量となり、出力する音量が大き過ぎることとなることから、周囲の店舗等にとって騒音になるおそれがある。このため、表示装置１００は、設定値が最大値以上となる場合は、最大値を音量として設定する。これにより、近距離の領域において、周囲の環境に応じた適切な音量（最大値）を設定することができる。
【００３２】
一方で、表示装置１００は、設定値が最大値を下回る場合は、設定値を音量として設定する。これは、音場マップが事前に作成されたものであることから、リアルタイム性に欠けるためである。そこで、設定値が最大値を下回る場合には、設定値でも十分な音量であることから、設定値を音量として設定することにより、近距離の領域において、周囲の環境に応じた適切な音量（設定値）を設定することができる。
【００３３】
そして、表示装置１００は、ステップＳ３０４において設定した音量を、オーディオ回路１０８を経由して、スピーカ１０４Ｒ，１０４Ｌから出力する（ステップＳ３０５）。ステップＳ３０１〜ステップＳ３０５の処理により、近距離の領域における処理が完了する。
【００３４】
次に、表示装置１００は、遠距離の領域における処理を行う。まず、表示装置１００は、カメラ１０５によって遠距離の領域に存在する人の視線が検出されたか否かを判定する（ステップＳ３０６）。表示装置１００は、カメラ１０５によって遠距離の領域に存在する人の視線が検出されない場合（ステップＳ３０６：ＮＯ）、ステップＳ３０１に戻る。
【００３５】
表示装置１００は、カメラ１０５によって遠距離の領域に存在する人の視線が検出された場合（ステップＳ３０６：ＹＥＳ）、カメラ１０５によって検出された検出結果から、検出された人の位置（または距離）を示す情報を取得する（ステップＳ３０７）。そして、表示装置１００は、検出された人の位置を示す情報を用いて、モータ１０７を制御することにより、指向性スピーカ１０６を視線の方向へ向ける（ステップＳ３０８）。
【００３６】
次に、表示装置１００は、マイク１０３により検出された周囲音を取得する（ステップＳ３０９）。なお、マイク１０３は、周囲音を常時検出してもよい。この場合、表示装置１００が周囲音を取得するタイミングは、ステップＳ３０９のタイミングのみならず、常時としてもよい。そして、表示装置１００は、音場マップ１１０を参照し、音量を設定する（ステップＳ３１０）。
【００３７】
ここで、ステップＳ３１０において表示装置１００（制御部１０９）が行う音量の設定について説明する。まず、表示装置１００は、カメラ１０５によって検出された人の位置（または表示装置１００と当該人までの距離）を示す情報を用いて音量の減衰値を取得する。また、表示装置１００は、マイク１０３により検出された周囲音に基づく基準音と、取得した減衰値とを加算した値を設定値として算出する。そして、表示装置１００は、音場マップ１１０を参照し、カメラ１０５によって検出された位置（または距離）における最大値と、算出した設定値とを比較する。
【００３８】
表示装置１００は、設定値が最大値以上となる場合は、最大値を音量として設定する。これにより、出力する音量が大き過ぎるなることを抑え、遠距離の領域においても、周囲の環境に応じた適切な音量（最大値）を設定することができる。一方で、表示装置１００は、設定値が最大値を下回る場合は、設定値でも十分な音量であることから、設定値を音量として設定する。これにより、遠距離の領域においても、周囲の環境に応じた適切な音量（設定値）を設定することができる。
【００３９】
そして、表示装置１００は、ステップＳ３１０において設定した音量を、オーディオ回路１０８を経由して、指向性スピーカ１０６から出力し（ステップＳ３１１）、音量制御処理を終了する。
【００４０】
（表示装置１００の機能的構成）
次に、図４を用いて、表示装置１００（音量制御装置）の機能的構成の一例について説明する。図４は、実施形態にかかる表示装置１００の機能的構成の一例を示すブロック図である。図４において、表示装置１００は、第１出力部４０１と、第２出力部４０２と、音量検出部４０３と、第１検出部４０４と、第２検出部４０５と、第１制御部４０６と、第２制御部４０７と、記憶部４０８とを備える。
【００４１】
第１出力部４０１は、音を出力する。第１出力部４０１は、例えば、右スピーカ１０４Ｒおよび左スピーカ１０４Ｌによって実現される。なお、本実施形態において、表示装置１００は、右スピーカ１０４Ｒおよび左スピーカ１０４Ｌを備えるが、少なくともいずれか一方を有していればよい。
【００４２】
第２出力部４０２は、音を出力する向きを可変自在にして音を出力する。第２出力部４０２は、例えば、音を一定方向に出力することが可能であるとともに、音を出力する方向を上下方向、左右方向、斜め方向に向きを自在に変えることが可能である。例えば、第２出力部４０２は、指向性スピーカ１０６の向きをモータ１０７によって物理的に変えることによって音を出力する方向を変える。ただし、第２出力部４０２は、指向性スピーカ１０６を制御することにより、指向性スピーカ１０６の音の出力方向を変えるようにしてもよい。第２出力部４０２は、例えば、指向性スピーカ１０６およびモータ１０７によって実現される。
【００４３】
音量検出部４０３は、周囲の音量を検出する。音量検出部４０３は、例えば、マイク１０３によって実現される。
【００４４】
第１検出部４０４は、第１領域の人の位置に関する第１位置情報を検出する。第１領域は、例えば、表示装置１００から所定距離内の領域である。具体的には、第１領域は、音場マップ１１０が示す領域のうち、表示装置１００側の半分の領域（近距離の領域）である。第１位置情報は、例えば、第１領域の人の位置を示す情報である。また、第１位置情報は、第１領域の人までの距離を示す情報を含む。
【００４５】
また、第１位置情報は、例えば、第１領域を複数の領域に分割したとすると、人が存在する領域がどの領域であるかを示す情報としてもよい。なお、第１位置情報は、第１領域に人が位置すること（人の有無）を示す情報であってもよい。第１検出部４０４は、例えば、測距センサ１０２によって実現される。
【００４６】
第１制御部４０６は、音量検出部４０３によって検出された周囲の音量と、第１検出部４０４によって検出された第１位置情報とに基づいて、第１出力部４０１から出力させる音量を制御する。例えば、第１制御部４０６は、周囲の音量が大きい場合には、周囲の音量が小さい場合に比べて、大きい音量を第１出力部４０１から出力させればよい。また、例えば、第１制御部４０６は、第１領域のうちの表示装置１００から離れた位置に人がいる場合には、第１領域のうちの表示装置１００の近くに位置に人がいる場合よりも、大きい音量を第１出力部４０１から出力させればよい。
【００４７】
ここで、記憶部４０８は、周囲の位置ごとの音量の規定値（例えば、音場マップ１１０）を予め記憶する。周囲の位置ごとの音量の規定値は、例えば、表示装置１００の周囲の位置ごとの、所定条件下における音量の最大値である。第１制御部４０６は、記憶部４０８を参照し、周囲の音量および第１位置情報から得られる算出値と、規定値（最大値）とに基づいて、第１出力部４０１から出力させる音量を制御する。
【００４８】
周囲の音量および第１位置情報から得られる算出値は、例えば、図４を用いて説明したように、周囲音に基づく基準音と、第１位置情報から得られる減衰値とを加算した設定値である。第１制御部４０６は、算出した設定値と、記憶部４０８に記憶される最大値とを比較した比較結果に応じて、設定値および最大値のうちのいずれか一方を、第１出力部４０１から出力させる。
【００４９】
なお、本実施形態において、第１制御部４０６は、第１領域に人が所定時間（例えば数秒程度）存在した場合に、第１出力部４０１から音を出力させてもよい。言い換えれば、第１制御部４０６は、第１領域に人が所定時間（例えば数秒程度）存在しない場合には（例えば、人が第１領域を横切っただけの場合には）、第１出力部４０１から音を出力させないようにしてもよい。
【００５０】
また、第１制御部４０６は、第１領域に人が立ち止まった場合に、すなわち、例えば、第１検出部４０４によって所定時間、同じ位置を示す第１位置情報が検出された場合に、第１出力部４０１から音を出力させてもよい。言い換えれば、第１制御部４０６は、第１検出部４０４によって所定時間、同じ位置を示す第１位置情報が検出されない場合には、第１出力部４０１から音を出力させないようにしてもよい。
【００５１】
また、第１制御部４０６は、第１出力部４０１から音を出力させた後、第１検出部４０４によって第１位置情報が検出されなくなった場合に、第１出力部４０１からの音の出力を停止してもよい。また、第１制御部４０６は、第１出力部４０１から音を出力させた後、第１領域に人が存在するか否かにかかわらず、所定のタイミングとなるまで（例えば、一連の音の再生時間が終了するまで、または、一連の動画の再生時間が終了するまで）、音を出力し、所定のタイミングとなった場合に音の出力を停止してもよい。
【００５２】
また、第１制御部４０６は、第１領域に人が存在しない場合でも、すなわち、第１出力部４０１から音を出力させたか否かにかかわらず、第１検出部４０４によって第１位置情報が検出されない場合でも、第１出力部４０１から所定の音量（例えば、一定の音量）の音を常時出力させてもよい。この場合、第１制御部４０６は、第１検出部４０４によって第１位置情報が検出された場合に、周囲の音量と、第１位置情報とに基づく音量の制御を行ってもよい。
【００５３】
第１制御部４０６は、例えば、制御部１０９によって実現される。記憶部４０８は、例えば、ＲＡＭ等の所定の記憶領域によって実現される。
【００５４】
第２検出部４０５は、第１領域とは異なる第２領域の人の位置に関する第２位置情報を検出する。第２領域は、例えば、表示装置１００から所定距離を超える領域である。具体的には、第２領域は、音場マップ１１０が示す領域のうち、表示装置１００側の半分の領域（近距離の領域）を除く領域（遠距離の領域）である。また、第２位置情報は、第２領域の人の視線を示す情報と、第２領域の人までの距離の情報を含む。
【００５５】
また、第２位置情報は、例えば、第２領域の人の位置を示す情報であってもよい。例えば、第２位置情報は、第２領域を複数の領域に分割したとすると、人が存在する領域がどの領域であるかを示す情報としてもよい。なお、第２位置情報は、第２領域に人が位置すること（人の有無）を示す情報であってもよい。第２検出部４０５は、例えば、カメラ１０５によって実現される。
【００５６】
第２制御部４０７は、音量検出部４０３によって検出された周囲の音量と、第２検出部４０５によって検出された第２位置情報とに基づいて、第２出力部４０２から出力させる音量と向きとを制御する。例えば、第２制御部４０７は、周囲の音量が大きい場合には、周囲の音量が小さい場合に比べて、大きい音量を第２出力部４０２から出力させればよい。また、例えば、第２制御部４０７は、第２領域のうちの表示装置１００から離れた位置に人がいる場合には、第２領域のうちの表示装置１００の近くに位置に人がいる場合よりも、大きい音量を第２出力部４０２から出力させればよい。
【００５７】
また、第２制御部４０７は、音量検出部４０３によって検出された周囲の音量と、第２検出部４０５によって検出された第２領域の人までの距離の情報とに基づいて、第２出力部４０２から出力させる音量を制御する。第２制御部４０７は、記憶部４０８を参照し、周囲の音量および第２位置情報から得られる算出値と、規定値（最大値）とに基づいて、第２出力部４０２から出力させる音量を制御する。
【００５８】
周囲の音量および第２位置情報から得られる算出値は、例えば、図４を用いて説明したように、周囲音に基づく基準音と、第２位置情報から得られる減衰値とを加算した設定値である。第２制御部４０７は、算出した設定値と、記憶部４０８に記憶される最大値とを比較した比較結果に応じて、設定値および最大値のうちのいずれか一方を、第２出力部４０２から出力させる。
【００５９】
また、第２制御部４０７は、第２領域の人の視線を示す情報に基づいて、第２出力部４０２の向きを制御する。具体的には、第２制御部４０７は、第２領域の人の視線の方向に第２出力部４０２が向くように、モータ１０７を制御する。
【００６０】
なお、本実施形態において、第２制御部４０７は、第１領域に人が所定時間（例えば数秒程度）存在した場合に、第２出力部４０２から音を出力させてもよい。言い換えれば、第２制御部４０７は、第２領域に人が所定時間存在しない場合には（例えば、人が第２領域を横切っただけの場合には）、第２出力部４０２から音を出力させないようにしてもよい。
【００６１】
また、第２制御部４０７は、第２領域に人が立ち止まった場合に、すなわち、例えば、第２検出部４０５によって所定時間、同じ位置を示す第２位置情報が検出された場合に、第２出力部４０２から音を出力させてもよい。言い換えれば、第２制御部４０７は、第２検出部４０５によって所定時間、同じ位置を示す第２位置情報が検出されない場合には、第２出力部４０２から音を出力させないようにしてもよい。
【００６２】
また、第２制御部４０７は、第２検出部４０５によって所定時間、第２領域の人の視線が検出された場合に、第２出力部４０２から音を出力させてもよい。言い換えれば、第２制御部４０７は、第２検出部４０５によって所定時間、第２領域の人の視線が検出されない場合には、第２出力部４０２から音を出力させないようにしてもよい。
【００６３】
また、第２制御部４０７は、第２出力部４０２から音を出力させた後、第２検出部４０５によって第２位置情報が検出されなくなった場合に、第２出力部４０２からの音の出力を停止してもよい。例えば、第２領域において視線が検出された人が表示装置１００へ近づいて来て、第１領域に進入した場合には、第２制御部４０７は、第２出力部４０２からの音の出力を停止してもよい。この場合、第１制御部４０６は、第１領域内に進入した人の位置（第１位置情報）に応じて、第１出力部４０１から音を出力させればよい。
【００６４】
また、第２制御部４０７は、第２出力部４０２から音を出力させた場合、第２領域に人が存在するか否かにかかわらず、所定のタイミングとなるまで（例えば、一連の音の再生時間が終了するまで、または、一連の動画の再生時間が終了するまで）、音を出力し、所定のタイミングとなった場合に音の出力を停止してもよい。
【００６５】
また、第２制御部４０７は、第２領域の視線が検出され、当該視線の方向に音を出力させた後に、第２領域の視線が検出されなくなった場合でも（例えば、よそ見をした場合）、第２領域に当該人が存在する場合には、所定時間が経過するまでは、当該視線の方向に音を出力させ続けてもよい。第２制御部４０７は、例えば、制御部１０９によって実現される。
【００６６】
また、表示装置１００は、複数のカメラ１０５（第２検出部４０５）と、複数の指向性スピーカ１０６（第２出力部４０２）とを備えていてもよい。この場合、第２制御部４０７は、例えば、一方のカメラ１０５によって検出された検出結果（視線Ａ）に基づいて、一方の指向性スピーカ１０６を制御して視線Ａの人に向けて音を出力させ、また、他方のカメラ１０５によって検出された検出結果（視線Ｂ）に基づいて、他方の指向性スピーカ１０６を制御しても視線Ｂの人に向けて音を出力させてもよい。
【００６７】
また、本実施形態において、複数の表示装置１００を配置することも可能である。例えば、２つの表示装置１００を近接配置した場合には、一方の表示装置１００の第２領域と、他方の表示装置１００の第２領域とが重なることがある。この場合、第２領域に存在する人が一方の表示装置１００に視線を向けたとすると、一方の表示装置１００は、自装置の第２出力部４０２から当該人に向けて音を出力すればよい。また、第２領域に存在する人が他方の表示装置１００に視線を向けたとすると、他方の表示装置１００は、自装置の第２出力部４０２から当該人に向けて音を出力すればよい。このように、複数の表示装置１００を配置した場合には、視線を向けた先の表示装置１００から当該人に向けて音を出力することができる。
【００６８】
以上説明したように、本実施形態にかかる表示装置１００は、周囲の音量と第１領域（例えば近距離の領域）の人の位置を示す情報とに基づいてスピーカ１０４Ｒ，１０４Ｌの音量を制御し、また、周囲の音量と第２領域（例えば遠距離の領域）の人の位置を示す情報とに基づいて指向性スピーカ１０６の音の出力方向と音量とを制御することとした。これにより、人が存在する第１領域および第２領域の領域ごとに、異なる制御によって音を出力することができる。したがって、第１領域および第２領域に存在するそれぞれの人に、それぞれの周囲の環境（周囲音）や人の位置に応じた最適な音量で視聴させることができる。また、表示装置１００をデジタルサイネージに適用することにより、広告、宣伝、告知などを効果的に行うことができる。
【００６９】
また、本実施形態において、表示装置１００は、周囲の音量と第２領域の人までの距離の情報とに基づいて指向性スピーカ１０６の音量を制御し、また、第２領域の人の視線を示す情報に基づいて指向性スピーカ１０６の向きを制御することとした。これにより、第２領域から表示装置１００に表示されている内容を視聴する意思のある人に向けて、適切な音量で音を出力することができる。したがって、第２領域の人に最適な音量で視聴させることができる。また、指向性スピーカ１０６から出力される音が第１領域に存在する人にとって大き過ぎてしまうことを抑えることができ、各領域に存在する人に最適な音量で視聴させることができる。
【００７０】
また、本実施形態において、表示装置１００は、予め記憶される周囲の位置ごとの音量の規定値と、周囲の音量および第１位置情報から得られる算出値とに基づいて、スピーカ１０４Ｒ，１０４Ｌの音量を制御することとした。これにより、表示装置１００は、周囲の音量に応じた最適な音量でスピーカ１０４Ｒ，１０４Ｌから音を出力することができる。したがって、第１領域に存在する人に最適な音量で視聴させることができるとともに、スピーカ１０４Ｒ，１０４Ｌから出力される音が周囲の店舗等にとって騒音となることを抑えることができる。
【００７１】
また、本実施形態において、表示装置１００は、予め記憶される周囲の位置ごとの音量の規定値と、周囲の音量および第２位置情報をから得られる算出値とに基づいて、指向性スピーカ１０６の音量を制御することとした。これにより、表示装置１００は、周囲の音量に応じた最適な音量で指向性スピーカ１０６から音を出力することができる。したがって、第２領域に存在する人に最適な音量で視聴させることができるとともに、指向性スピーカ１０６から出力される音が周囲の店舗等にとって騒音となることを抑えることができる。
【００７２】
また、本実施形態において、第１領域を表示装置１００から所定距離内の領域とし、第２領域を表示装置１００から所定距離を超える領域とした。これにより、人が存在する第１領域および第２領域の各領域の周囲音に応じた適切な音量を出力することができる。したがって、近距離の領域および遠距離の領域のそれぞれの人に、最適な音量で視聴させることができる。
【００７３】
上述した実施形態における表示装置１００の全部または一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信回線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ等のプログラマブルロジックデバイスを用いて実現されるものであってもよい。
【００７４】
以上、この発明の実施形態について図面を参照して詳述してきたが、具体的な構成はこの実施形態に限られるものではなく、この発明の要旨を逸脱しない範囲の設計等も含まれる。
【符号の説明】
【００７５】
１００：表示装置，１０１：表示部，１０２：測距センサ，１０３：マイク，１０４Ｒ：右スピーカ，１０４Ｌ：左スピーカ，１０５：カメラ，１０６：指向性スピーカ，１０７：モータ，１０８：オーディオ回路，１０９：制御部，１１０：音場マップ，４０１：第１出力部，４０２：第２出力部，４０３：音量検出部，４０４：第１検出部，４０５：第２検出部，４０６：第１制御部，４０７：第２制御部，４０８：記憶部
【図１】
2020025156.tif 000003
【図２】
2020025156.tif 000004
【図３】
2020025156.tif 000005
【図４】
2020025156.tif 000006